(57)【要約】【課題】省電力化を実現できる両面印刷装置を提供する。【解決手段】両面孔版印刷装置１は、印刷用紙ＰＡに画像を印刷する第１印刷部４及び第２印刷部９と、第１印刷部と第２印刷部との間に配置され、第１印刷部によって印刷された印刷用紙ＰＡを反転させる反転部７と、印刷部４、９、反転部とに電力を供給する電源部１３と、印刷部４、９により印刷されない待機時間Ｔを計測するタイマ１４と、各部４、７、９、１３を制御するとともに、待機時間Ｔが入力される制御部１２とを備えている。制御部は、待機時間が第１閾値時間Ｔｈ１を超えない場合に、２４Ｖの電力を反転部に供給する通常モードと、待機時間が第１閾値時間を超えた場合に、５Ｖの電圧の電力を反転部に供給するローパワーモードと、待機時間が第２閾値時間Ｔｈ２を超えた場合に、反転部へ供給する電力をローパワーモードよりも低減するスリープモードとを有する。【選択図】図５
2011073396.tif 000002
【特許請求の範囲】
【請求項１】
印刷媒体の一方の面に画像を印刷する第１印刷部と、
前記印刷媒体の何れかの面に画像を印刷する第２印刷部と、
前記第１印刷部と前記第２印刷部との間に配置され、前記第１印刷部によって印刷された印刷媒体を反転させる反転部と、
前記第１印刷部と、前記第２印刷部と、前記反転部とに電力を供給する電源部と、
前記第１印刷部及び前記第２印刷部により印刷されない待機時間を計測するタイマと、
前記前記第１印刷部と、前記第２印刷部と、前記反転部と、前記電源部とを制御するとともに、前記タイマから待機時間が入力される制御部とを備え、
前記制御部は、
前記待機時間が第１閾値時間を超えない場合に、前記電源部を制御して、第１電力を前記反転部に供給する通常モードと、
前記待機時間が前記第１閾値時間を超えた場合に、前記電源部を制御して、前記第１電力よりも電圧の低い前記第２電力を前記反転部に供給するローパワーモードと、
前記待機時間が、前記第１閾値時間よりも長い第２閾値時間を超えた場合に、前記電源部を制御して、前記反転部へ供給する電力をローパワーモードよりも低減するスリープモードとを有することを特徴とする両面印刷装置。
【請求項２】
前記制御部は、前記印刷媒体の一方の面にのみ印刷する片面印刷モードを有し、
前記制御部は、前記片面印刷モードでは、前記反転部を前記ローパワーモードまたは前記スリープモードに制御することを特徴とする請求項１に記載の両面印刷装置。
【請求項３】
前記反転部を引き出し可能な引き出し位置に移動させる移動手段を有し、
前記制御部は、前記反転部の引き出しが検出されると、前記第１印刷部、前記第２印刷部及び前記反転部を通常モードに制御することを特徴とする請求項１または請求項２に記載の両面印刷装置。
【請求項４】
前記反転部は、
前記印刷媒体をクランプするクランプ手段と、
前記印刷媒体とともに前記クランプ手段を移動させる駆動手段とを有し、
前記制御部は、前記ローパワーモードにおいては、前記電源部を介して、前記駆動手段に第２電力を供給することを特徴とする請求項１〜請求項３のいずれか１項に記載の両面印刷装置。
【請求項５】
前記反転部は、前記駆動手段を制御する反転部用制御手段を有し、
前記制御部は、前記スリープモードにおいては、前記反転部用制御手段を除く前記反転部への電力供給を停止することを特徴とする請求項４に記載の両面印刷装置。
【発明の詳細な説明】
【技術分野】
【０００１】
本発明は、反転部を備えた両面印刷装置に関する。
【背景技術】
【０００２】
従来、片面が印刷された印刷用紙を反転させるための反転部を備えた両面印刷装置が知られている。
【０００３】
特許文献１には、第１印刷部と、反転搬送装置と、第２印刷部とを備えた両面孔版印刷装置が開示されている。この両面孔版印刷装置では、画像が、第１印刷部によって印刷用紙の表面に印刷される。次に、印刷用紙は、反転搬送装置によって反転された後、第２印刷部に搬送される。この後、画像が印刷用紙の裏面に第２印刷部によって印刷された後、印刷用紙が排紙される。
【先行技術文献】
【特許文献】
【０００４】
【特許文献１】特開２００５−２９３７５号公報
【発明の概要】
【発明が解決しようとする課題】
【０００５】
しかしながら、特許文献１の印刷装置は、オン状態では、第１印刷部、反転搬送装置及び第２印刷部に電力が供給される。このため、この印刷装置では、印刷時以外でも、反転部が２個の印刷部及び反転搬送装置が電力を消費するために、電力消費が大きいといった課題がある。
【０００６】
本発明は、上述した課題を解決するために創案されたものであり、省電力化を実現できる両面印刷装置を提供することを目的としている。
【課題を解決するための手段】
【０００７】
上記目的を達成するために、請求項１に記載の発明は、印刷媒体の一方の面に画像を印刷する第１印刷部と、前記印刷媒体の何れかの面に画像を印刷する第２印刷部と、前記第１印刷部と前記第２印刷部との間に配置され、前記第１印刷部によって印刷された印刷媒体を反転させる反転部と、前記第１印刷部と、前記第２印刷部と、前記反転部とに電力を供給する電源部と、前記第１印刷部及び前記第２印刷部により印刷されない待機時間を計測するタイマと、前記前記第１印刷部と、前記第２印刷部と、前記反転部と、前記電源部とを制御するとともに、前記タイマから待機時間が入力される制御部とを備え、前記制御部は、前記待機時間が第１閾値時間を超えない場合に、前記電源部を制御して、第１電力を前記反転部に供給する通常モードと、前記待機時間が前記第１閾値時間を超えた場合に、前記電源部を制御して、前記第１電力よりも電圧の低い前記第２電力を前記反転部に供給するローパワーモードと、前記待機時間が、前記第１閾値時間よりも長い第２閾値時間を超えた場合に、前記電源部を制御して、前記反転部へ供給する電力をローパワーモードよりも低減するスリープモードとを有することを特徴とする。
【０００８】
また、請求項２に記載の発明は、前記制御部は、前記印刷媒体の一方の面にのみ印刷する片面印刷モードを有し、前記制御部は、前記片面印刷モードでは、前記反転部を前記ローパワーモードまたは前記スリープモードに制御することを特徴とする。
【０００９】
また、請求項３に記載の発明は、前記反転部を引き出し可能な引き出し位置に移動させる移動手段を有し、前記制御部は、前記反転部の引き出しが検出されると、前記第１印刷部、前記第２印刷部及び前記反転部を通常モードに制御することを特徴とする。
【００１０】
また、請求項４に記載の発明は、前記反転部は、前記印刷媒体をクランプするクランプ手段と、前記印刷媒体とともに前記クランプ手段を移動させる駆動手段とを有し、前記制御部は、前記ローパワーモードにおいては、前記電源部を介して、前記駆動手段に第２電力を供給することを特徴とする。
【００１１】
また、請求項５に記載の発明は、前記反転部は、前記駆動手段を制御する反転部用制御手段を有し、前記制御部は、前記スリープモードにおいては、前記反転部用制御手段を除く前記反転部への電力供給を停止する。
【発明の効果】
【００１２】
請求項１の発明によれば、待機時間が閾値時間を超えると、制御部が、反転部への電力供給を低減するローパワーモード及びスリープモードを有する。これにより、本発明は、オン状態が継続されても、消費電力を低減して、省電力化を実現できる。
【００１３】
請求項２の発明によれば、片面印刷モード時の省電力化を実現できる。
【００１４】
請求項３の発明によれば、反転部が引き出されると、制御部は通常モードに制御するので、反転部が収納された後、迅速に印刷を開始できる。
【００１５】
請求項４の発明によれば、駆動手段に第２電力を供給することにより、駆動手段の故障を低減しつつ、省電力化を実現できる。
【００１６】
請求項５の発明によれば、反転部制御部にのみ電力を供給することにより、迅速な印刷開始を実現しつつ、省電力化を実現できる。
【図面の簡単な説明】
【００１７】
【図１】第１実施形態による両面孔版印刷装置の全体構成図である。
【図２】反転部及び近傍の拡大図である。
【図３】クランプ装置の拡大図である。
【図４】両面孔版印刷装置の制御系を説明するブロック図である。
【図５】ローパワーモードへの移行制御を説明するためのフローチャートである。
【図６】ローパワーモードからの復帰制御を説明するためのフローチャートである。
【図７】スリープモードへの移行制御を説明するためのフローチャートである。
【図８】スリープモードからの復帰制御を説明するためのフローチャートである。
【図９】引き出し制御を説明するためのフローチャートである。
【図１０】片面印刷モード制御を説明するためのフローチャートである。
【発明を実施するための形態】
【００１８】
（第１実施形態）
以下、図面を参照して、本発明を両面孔版印刷装置に適用した第１実施形態について説明する。
【００１９】
図１は、第１実施形態による両面孔版印刷装置の全体構成図である。図２は、反転部及び近傍の拡大図である。図３は、クランプ装置の拡大図である。図４は、両面孔版印刷装置の制御系を説明するブロック図である。尚、以下の説明において、図１の点線矢印Ｒで示す流れを両面印刷時の搬送経路とする。図１の点線矢印Ｒ’で示す流れを片面印刷時の短絡用の搬送経路とする。単に上流及び下流という時は、搬送経路における上流及び下流の意味とする。
【００２０】
図１〜図４に示すように、第１実施形態による両面孔版印刷装置１は、製版部２と、給紙部３と、第１印刷部４と、上流側搬送部５と、中間搬送部６と、反転部７と、下流側搬送部８と、第２印刷部９と、排紙部１０と、操作パネル１１と、制御部１２と、電源部１３と、タイマ１４とを備えている。製版部２と、第１印刷部４と、上流側搬送部５と、中間搬送部６と、反転部７と、下流側搬送部８と、第２印刷部９とが、図１の紙面表側方向に、引き出し可能に構成されている。
【００２１】
製版部２は、孔版原紙９１、９２を製版して、第１印刷部４及び第２印刷部９に巻装するものである。製版部２は、第１印刷部４に孔版原紙９１を供給する第１原紙供給位置（図１の二点鎖線位置）と、第２印刷部９に孔版原紙９２を供給する第２原紙供給位置（図１の実線位置）との間で移動可能に構成されている。
【００２２】
給紙部３は、積層されている印刷用紙（請求項の印刷媒体に相当）ＰＡを給紙するものである。給紙部３は、搬送経路Ｒの最も上流に配置されている。給紙部３は、給紙台１６と、給紙ローラ１７と、搬送ローラ１８とを備えている。給紙台１６は、積層された印刷用紙ＰＡを保持するものである。給紙ローラ１７は、給紙台１６に載置された印刷用紙ＰＡのうち、最上位の印刷用紙ＰＡを搬送する。搬送ローラ１８は、給紙ローラ１７により給紙された印刷用紙ＰＡを第１印刷部４へ搬送する。各ローラ１７、１８には、図示しない給紙クラッチを介して、搬送モータ（図示略）の回転駆動が伝達される。
【００２３】
第１印刷部４は、印刷用紙ＰＡを搬送しつつ、第１の画像を印刷用紙ＰＡの表面に印刷するものである。第１印刷部４は、給紙部３の下流側に配置されている。図１及び図２に示すように、第１印刷部４は、第１ドラム２１と、第１プレスロール２２と、原紙クランプ２３と、第１プレスアクチュエータ２４と、メインモータ２８とを備えている。
【００２４】
第１ドラム２１は、メインモータ２８から回転駆動力が伝達されて、孔版原紙９１とともに矢印Ａ方向に回転される。第１ドラム２１には、孔版原紙９１に穿孔された孔を通って印刷用紙ＰＡに塗布されるインクが供給される。
【００２５】
第１プレスロール２２は、印刷用紙ＰＡを第１ドラム２１の下端の印刷位置へと押圧する。第１プレスロール２２は、第１プレスアクチュエータ２４によって上下方向に移動される。具体的には、第１プレスロール２２は、図２に実線で示す印刷用紙ＰＡを押圧可能な押圧位置と、図２に一点鎖線で示す離間位置との間で移動される。尚、印刷動作時において、第１プレスロール２２は、印刷する際には、押圧位置に配置され、原紙クランプ２３を避ける際には、離間位置に配置される。
【００２６】
原紙クランプ２３は、孔版原紙９１の先端をクランプする。原紙クランプ２３は、第１ドラム２１の外周部の一部に設けられている。
【００２７】
上流側搬送部５は、第１印刷部４で印刷された印刷用紙ＰＡを反転部７または中間搬送部６へと搬送する。上流側搬送部５は、第１印刷部４の下流側に配置されている。上流側搬送部５は、円弧状に配置された４個のプーリ２５と、４個のプーリ２５に掛けられた搬送ベルト２６と、搬送ベルト２６に印刷用紙ＰＡを吸引させる吸引ファン２７とを備えている。搬送ベルト２６には、吸引ファン２７による気流を通過させる複数の吸引孔（図示略）が形成されている。プーリ２５には、搬送モータ（図示略）から駆動力が伝達される。これにより、搬送ベルト２６が、回転駆動される。
【００２８】
中間搬送部６は、片面印刷時に、搬送経路Ｒ’に沿って上流側搬送部５から第２印刷部９へと印刷用紙ＰＡを搬送するものである。これにより、印刷用紙ＰＡの表面だけに画像が印刷される。中間搬送部６は、フリッパ３１と、中間ローラ３２とを備えている。フリッパ３１は、片面印刷時において、図２の実線で示す片面印刷位置に配置される。これにより、印刷用紙ＰＡが、搬送ベルト２６から剥離されて、中間ローラ３２へと搬送される。一方、フリッパ３１は、両面印刷時においては、図２の点線で示す両面印刷位置に配置される。これにより、フリッパ３１は、両面印刷時に印刷用紙ＰＡに接することがない。中間ローラ３２は、搬送モータから回転駆動力が伝達される。これにより、中間ローラ３２は、印刷用紙ＰＡを第２印刷部９へと搬送する。
【００２９】
反転部７は、第１印刷部４によって印刷された印刷用紙ＰＡを反転させるために、一時的に保持して、下流側搬送部８へと排紙するものである。図１、図２及び図４に示すように、反転部７は、搬送経路Ｒ上において、第１印刷部４と第２印刷部９との間に配置されている。また、反転部７は、本体から引き出される際には、図１の一点鎖線で示す引き出し位置に移動される。
【００３０】
図２に示すように、反転部７は、搬入側ガイド板３５と、搬入装置３６と、クランプ装置３７と、排出側ガイド板３８と、排出装置３９と、上下移動モータ（請求項の移動手段に相当）４０とを備えている。
【００３１】
搬入側ガイド板３５は、反転部７に搬入される印刷用紙ＰＡをクランプ装置３７へとガイドする。搬入側ガイド板３５は、上流側搬送部５の排出側端部の近傍とクランプ装置３７の搬入側端部の近傍とに渡って配置されている。
【００３２】
搬入装置３６は、上流側搬送部５から搬送された印刷用紙ＰＡを吸引しつつ、クランプ装置３７へと搬送する。搬入装置３６は、搬入側ガイド板３５の途中部の外側に配置されている。搬入装置３６は、一対のプーリ４１と、一対のプーリ４１に渡って掛けられて搬送方向に回転される搬送ベルト４２と、搬送ベルト４２に印刷用紙ＰＡを吸引させる吸引ファン４３とを備えている。
【００３３】
クランプ装置３７は、搬入装置３６から搬送された複数の印刷用紙ＰＡを一時的にクランプして、排出装置３９へと搬送するものである。図３及び図４に示すように、クランプ装置３７は、一対のプーリ４５と、クランプ搬送ベルト４６と、複数のクランプ爪４７と、クランプ用モータ（請求項の駆動手段に相当）５０とを備えている。
【００３４】
一対のプーリ４５は、クランプ用モータ５０から回転駆動力が伝達されて、回転駆動される。
【００３５】
クランプ搬送ベルト４６は、クランプ爪４７を保持しつつ搬送する。クランプ搬送ベルト４６は、一対のプーリ４５に渡って掛けられている。クランプ搬送ベルト４６は、プーリ４５の回転駆動により矢印Ｃ方向に駆動される。クランプ搬送ベルト４６には、クランプ爪４７を保持するための保持穴（図示略）が等間隔で形成されている。
【００３６】
クランプ爪４７は、隣接するクランプ爪４７とによって印刷用紙ＰＡをクランプ（挟持）するものである。クランプ爪４７は、クランプ用モータ５０から回転駆動力が伝達されたクランプ搬送ベルト４６とともに矢印Ｃ方向に回転移動される。隣接するクランプ爪４７とクランプ爪４７の間隔は、プーリ４５及びクランプ搬送ベルト４６によって、変更可能に構成されている。クランプ爪４７の一方の側面には、金属板４８が設けられている。クランプ爪４７の他方の側面には、金属製の板バネ部材４９が設けられている。板バネ部材４９の先端部は、隣接するクランプ爪４７の金属板４８へ向かって曲げられている。
【００３７】
クランプ領域Ａ１の位置Ｐ１〜位置Ｐ９において、印刷用紙ＰＡがクランプされていない状態では、隣接するクランプ爪４７とクランプ爪４７との間隔ｄ１は、板バネ部材４９の先端部が隣接する金属板４８に接するように設定されている。これにより、図３に示すように、クランプ領域Ａ１では、クランプ爪４７の金属板４８と隣接するクランプ爪４７の板バネ部材４９によって印刷用紙ＰＡがクランプされる。
【００３８】
一方、搬入領域Ａ２の位置Ｐ１０及び位置Ｐ１における一対のクランプ爪４７とクランプ爪４７との間隔ｄ２は、クランプ爪４７の金属板４８と隣接するクランプ爪４７の板バネ部材４９の先端部とが接しないように、クランプ領域Ａ１の一対のクランプ爪４７とクランプ爪４７との間隔ｄ１よりも広く設定されている。搬入される印刷用紙ＰＡが、板バネ部材４９の先端部よりも奥へ達する。
【００３９】
また、排出領域Ａ３の位置Ｐ９及び位置Ｐ１１における一対のクランプ爪４７とクランプ爪４７の間隔ｄ３は、クランプ爪４７の金属板４８と隣接するクランプ爪４７の板バネ部材４９の先端部とが接しないように、クランプ領域Ａ１の一対のクランプ爪４７とクランプ爪４７との間隔ｄ１よりも広く設定されている。これにより、排出される印刷用紙ＰＡが、容易に排出される。
【００４０】
排出側ガイド板３８は、反転部７から排出される印刷用紙ＰＡを下流側搬送部８へとガイドする。排出側ガイド板３８は、クランプ装置３７の排出側端部の近傍と下流側搬送部８の搬入側端部の近傍とに渡って配置されている。
【００４１】
排出装置３９は、クランプ装置３７により搬送された印刷用紙ＰＡを吸引しつつ、下流側搬送部８へと搬送する。排出装置３９は、排出側ガイド板３８の途中部の外側に配置されている。排出装置３９は、一対のプーリ５１と、一対のプーリ５１に渡って掛けられて搬送方向に回転される搬送ベルト５２と、搬送ベルト５２に印刷用紙ＰＡを吸引させる吸引ファン５３とを備えている。
【００４２】
上下移動モータ４０は、操作パネル１１の引き出しボタンがユーザにより操作されると、反転部７を引き出し位置（図１の一点鎖線位置参照）へと移動させる。
【００４３】
下流側搬送部８は、反転部７から搬送された印刷用紙ＰＡを第２印刷部９へと搬送する。下流側搬送部８は、反転部７の下流側に配置されている。下流側搬送部８は、二対のローラ５５、５５、５６、５６と、円弧状のガイド板５７と、用紙検出センサ５８とを備えている。
【００４４】
一対のローラ５５、５５は、反転部７から搬送された印刷用紙ＰＡを挟持しつつ、一対のローラ５６、５６へ搬送する。一対のローラ５６、５６は、一対のローラ５５、５５から搬送された印刷用紙ＰＡを挟持しつつ、ガイド板５７に沿って第２印刷部９へと搬送する。
【００４５】
第２印刷部９は、２色印刷時には、印刷用紙ＰＡを搬送しつつ、第１印刷部４と異なる色で印刷用紙ＰＡの表面に画像を印刷するものである。第２印刷部９は、両面印刷時には、印刷用紙ＰＡを搬送しつつ、第２の画像を印刷用紙ＰＡの裏面に印刷する。第２印刷部９は、下流側搬送部８の下流側に配置されている。第２印刷部９は、第２ドラム６１と、第２プレスロール６２と、原紙クランプ６３と、第２プレスアクチュエータ６４と、メインモータ２８とを備えている。
【００４６】
第２印刷部９の第２ドラム６１と、第２プレスロール６２と、原紙クランプ６３と、第２プレスアクチュエータ６４は、それぞれ、第１印刷部４の第１ドラム２１と、第１プレスロール２２と、原紙クランプ２３と、第１プレスアクチュエータ２４と同様の構成であるので、説明を省略する。尚、メインモータ２８は、第１印刷部４と共用である。
【００４７】
排紙部１０は、ベルト搬送機構６５と、排紙台６６とを備えている。ベルト搬送機構６５は、第２ドラム６１から剥離された印刷用紙ＰＡを搬送する。排紙台６６には、ベルト搬送機構６５により搬送された両面印刷済みまたは片面印刷済みの印刷用紙ＰＡが載置される。
【００４８】
操作パネル１１は、ユーザが印刷指示等の指示を入力するものであるとともに、制御部１２が種々の表示を行うものである。操作パネル１１は、液晶表示部と、タッチパネルとを有する。
【００４９】
次に、図４を参照して、第１実施形態の両面孔版印刷装置１の制御系について説明する。尚、以下の説明において、便宜上、製版部２と、給紙部３と、第１印刷部４と、上流側搬送部５と、中間搬送部６と、下流側搬送部８と、第２印刷部９と、排紙部１０とを製版印刷部１５とする。また、図４において、電源部１３から延びる太線矢印は、電力供給のルートを示す。
【００５０】
制御部１２は、両面孔版印刷装置１の反転部７、操作パネル１１、製版印刷部１５、及び、電源部１３等の制御を司るものである。制御部１２は、種々の演算を行うＣＰＵ７１と、待機時間Ｔ等の各情報が一時的に記憶されるＲＡＭ７２と、印刷用プログラム及び電力制御用プログラム、閾値時間Ｔｈ１、Ｔｈ２等が記憶されているＲＯＭ７３と、入出力を行うためのＩ／Ｏポート７４とを備えている。
【００５１】
制御部１２のＩ／Ｏポート７４には、反転部７と、操作パネル１１と、製版印刷部１５とが接続されている。
【００５２】
具体的には、第１印刷部４のメインモータ２８及び第１プレスアクチュエータ２４とが、制御部１２のＩ／Ｏポート７４に接続されている。第２印刷部９のメインモータ２８及び第２プレスアクチュエータ６４とが、制御部１２のＩ／Ｏポート７４に接続されている。
【００５３】
また、反転部７の反転部用制御部７６が、制御部１２のＩ／Ｏポート７４に接続されている。反転部用制御部７６は、ロジックＩＣ等からなる。反転部用制御部７６は、制御部１２からの指示信号に基づき、反転部７の上下移動モータ４０、クランプ用モータ５０、吸引ファン４３、５３を制御する。
【００５４】
操作パネル１１の操作パネル制御部７７が、制御部１２のＩ／Ｏポート７４に接続されている。操作パネル制御部７７は、制御部１２からの指示指示に基づき、操作パネル１１の液晶表示装置を制御する。操作パネル制御部７７は、タッチパネルによってユーザが入力した指示信号を制御部１２へと出力する。例えば、ユーザは、タッチパネルに表示された引き出しボタンを操作することにより、引き出し信号を入力する。これにより、制御部１２は、上下移動モータ４０によって、反転部７を引き出し位置へ移動させる。
【００５５】
また、制御部１２のＩ／Ｏポート７４には、反転部７、操作パネル１１及び製版印刷部１５に電力を供給する電源部１３と、後述する待機時間Ｔを計測して制御部１２に出力するタイマ１４とが接続されている。
【００５６】
制御部１２は、ＲＯＭ７３に記憶された第１閾値時間Ｔｈ１及び第２閾値時間Ｔｈ２と、タイマ１４から入力された待機時間Ｔとを比較する。その比較結果に基づいて、制御部１２は、印刷時等の通常モードと、ローパワーモード及びスリープモードの省電力モードとに反転部７、操作パネル１１及び製版印刷部１５を制御する。待機時間Ｔとは、操作パネル１１によるユーザの指示が入力されず、印刷が行われない時間をいう。第１閾値時間Ｔｈ１は、例えば、３０秒である。第２閾値時間Ｔｈ２は、例えば、５分である。以下、各モードについて説明する。
【００５７】
まず、通常モードについて説明する。制御部１２は、印刷時、または、待機時間Ｔが第１閾値時間Ｔｈ１を超えるまでは、通常モードに設定する。通常モードにおいては、制御部１２は、電源部１３を制御して、反転部７及び製版印刷部１５のモータ２８、４０、５０、吸引ファン４３、５３、プレスアクチュエータ２４、６４及びセンサ５８等に２４Ｖの電力（請求項の第１電力に相当）を供給する。また、制御部１２は、給紙部３及び排紙部１０を除く製版印刷部１５及び反転部７が引き出された際にも、通常モードに制御する。
【００５８】
次に、ローパワーモードについて説明する。制御部１２は、待機時間Ｔが第１閾値時間Ｔｈ１を超えるとローパワーモードに移行する。ローパワーモードでは、制御部１２は、電源部１３を制御して、反転部７及び製版印刷部１５のモータ２８、４０、５０、吸引ファン４３、５３、プレスアクチュエータ２４、６４及びセンサ５８等に５Ｖの電力（請求項の第２電力に相当）を供給する。また、制御部１２は、操作パネル１１の操作パネル制御部７７のクロックを低速化する。
【００５９】
最後に、スリープモードについて説明する。制御部１２は、待機時間Ｔが第２閾値時間Ｔｈ２を超えるとスリープモードに移行する。スリープモードでは、制御部１２は、電源部１３を制御して、反転部用制御部７６及び操作パネル制御部７７を除き反転部７及び操作パネル１１への電力供給を停止する。また、スリープモードでは、制御部１２は、電源部１３を制御して、製版印刷部１５への電力供給を停止する。即ち、スリープモードでは、制御部１２は、電源部１３を制御して、ローパワーモードよりも反転部７、操作パネル１１及び製版印刷部１５への電力供給を低減する。
【００６０】
（両面及び片面印刷動作）
次に、上述した第１実施形態による両面孔版印刷装置による両面印刷動作及び片面印刷動作について説明する。
【００６１】
まず、両面印刷動作では、印刷用紙ＰＡが、給紙部３から第１印刷部４へと搬送される。第１印刷部４では、印刷用紙ＰＡが矢印Ａ方向に回転される第１ドラム２１と第１プレスロール２２によって押圧されて搬送されつつ、画像が印刷用紙ＰＡの表面に印刷される。
【００６２】
次に、印刷用紙ＰＡは、上流側搬送部５に搬送される。ここで、両面印刷時は、中間搬送部６のフリッパ３１が図２に点線で示す両面印刷位置に配置されている。これにより、印刷用紙ＰＡは、フリッパ３１に触れることなく、上流側搬送部５から反転部７へと搬送される。
【００６３】
次に、反転部７では、印刷用紙ＰＡは、搬入側ガイド板３５によってガイドされつつ、搬入装置３６によりクランプ装置３７へと搬送される。クランプ装置３７では、印刷用紙ＰＡは、搬入領域Ａ２の一対のクランプ爪４７、４７間に挿入される。この後、印刷用紙ＰＡは、クランプ爪４７、４７とともに矢印Ｃ方向に移動する。印刷用紙ＰＡが、クランプ領域Ａ１まで達すると、印刷用紙ＰＡは、クランプ爪４７、４７によってクランプされる。この後、印刷用紙ＰＡが、排出領域Ａ３まで達すると、クランプ爪４７、４７によるクランプが解除される。次に、印刷用紙ＰＡは、排出側ガイド板３８によってガイドされつつ、排出装置３９によって下流側搬送部８へと排出される。これにより、印刷用紙ＰＡは、反転部７によって反転されて、下流側搬送部８へと搬送されることになる。
【００６４】
次に、印刷用紙ＰＡは、下流側搬送部８によって第２印刷部９へと搬送される。第２印刷部９では、印刷用紙ＰＡは、印刷用紙ＰＡが矢印Ｂ方向に回転される第２ドラム６１と第２プレスロール６２によって押圧されて搬送されつつ、画像が印刷用紙ＰＡの裏面に印刷される。その後、印刷用紙ＰＡは、排紙部１０へと搬送される。これにより、両面印刷が終了する。
【００６５】
一方、片面印刷動作では、印刷用紙ＰＡは、両面印刷と同様に、給紙部３から給紙されて、第１印刷部４によって画像が印刷された後、上流側搬送部５へと搬送される。ここで、片面印刷時は、中間搬送部６のフリッパ３１が、図２に実線で示す片面印刷位置に配置されている。これにより、印刷用紙ＰＡは、中間搬送部６を介して、上流側搬送部５から第２印刷部９へと搬送される。換言すると、印刷用紙ＰＡは、反転部７を介することなく、第２印刷部９へと搬送される。次に、２色印刷の場合は、画像が、第１印刷部４とは異なる色により、第２印刷部９によって印刷用紙ＰＡの表面に印刷される。尚、単色印刷の場合は、印刷用紙ＰＡは、第２印刷部９により搬送されるのみで、画像は印刷されない。この後、印刷用紙ＰＡは、排紙部１０へと搬送される。これにより、印刷用紙ＰＡの表面にのみ画像が印刷される片面印刷が終了する。
【００６６】
（電力制御処理）
次に、図面を参照して、上述した第１実施形態による両面孔版印刷装置１の電力制御処理について説明する。図５は、ローパワーモードへの移行制御を説明するためのフローチャートである。図６は、ローパワーモードからの復帰制御を説明するためのフローチャートである。図７は、スリープモードへの移行制御を説明するためのフローチャートである。図８は、スリープモードからの復帰制御を説明するためのフローチャートである。図９は、引き出し制御を説明するためのフローチャートである。図１０は、片面印刷モード制御を説明するためのフローチャートである。フローチャートにおける「Ｓ」に付与された数字は、ステップ番号を示す。
【００６７】
（ローパワーモードへの移行制御）
まず、図５を参照して、ローパワーモードへの移行制御について説明する。
【００６８】
図５に示すように、制御部１２は、タイマ１４から入力された待機時間Ｔと、ＲＯＭ７３に記憶されている第１閾値時間Ｔｈ１とを比較する（Ｓ１）。
【００６９】
制御部１２は、待機時間Ｔが第１閾値時間Ｔｈ１を超えていないと判定している間は（Ｓ１：Ｎｏ）、ステップＳ１を繰り返す。一方、制御部１２は、待機時間Ｔが第１閾値時間Ｔｈ１を超えたと判定すると（Ｓ１：Ｙｅｓ）、ステップＳ２を実行する。
【００７０】
制御部１２は、反転部７をローパワーモードへと移行する（Ｓ２）。具体的には、制御部１２は、電源部１３を制御して、反転部７へ供給される電力を５Ｖに設定する。この結果、反転部７の上下移動モータ４０、クランプ用モータ５０及び吸引ファン４３、５３に５Ｖの電力が供給される。
【００７１】
次に、制御部１２は、反転部７のローパワーモードへの移行が成功したか否かを判定する（Ｓ３）。制御部１２は、反転部７のローパワーモードへの移行が失敗したと判定すると（Ｓ３：Ｎｏ）、操作パネル１１にエラー表示をする（Ｓ４）。一方、制御部１２は、反転部７のローパワーモードへの移行が成功したと判定すると（Ｓ３：Ｙｅｓ）、反転部７及び操作パネル１１を除く製版印刷部１５をローパワーモードへと移行する（Ｓ５）。具体的には、制御部１２は、電源部１３を制御して、製版印刷部１５へ供給する電力を５Ｖに設定する。この結果、製版印刷部１５のモータ２８、プレスアクチュエータ２４、６４等に５Ｖの電力が供給される。
【００７２】
次に、制御部１２は、製版印刷部１５のローパワーモードへの移行が成功したか否かを判定する（Ｓ６）。制御部１２は、製版印刷部１５のローパワーモードへの移行が失敗したと判定すると（Ｓ６：Ｎｏ）、操作パネル１１にエラー表示をする（Ｓ７）。一方、制御部１２は、製版印刷部１５のローパワーモードへの移行が成功したと判定すると（Ｓ６：Ｙｅｓ）、操作パネル１１をローパワーモードへと移行する（Ｓ８）。具体的には、制御部１２は、電源部１３を制御して、操作パネル１１へ供給する電力を５Ｖに設定する。この結果、操作パネル１１の液晶表示装置、タッチパネル及び操作パネル制御部７７に５Ｖの電力が供給される。
【００７３】
これにより、ローパワーモードへの移行制御が終了する。
【００７４】
（ローパワーモードからの復帰制御）
次に、図６を参照して、上述したローパワーモードから通常モードへの復帰制御について説明する。
【００７５】
図６に示すように、制御部１２は、５Ｖの電力が供給されている操作パネル１１を介して、ユーザが印刷指示を入力したか否かを判定する（Ｓ１１）。
【００７６】
制御部１２は、印刷指示が入力されるまでは（Ｓ１１：Ｎｏ）、ステップＳ１１を繰り返す。一方、制御部１２は、印刷指示が入力されたと判定すると（Ｓ１１：Ｙｅｓ）、ステップＳ１２を実行する。
【００７７】
制御部１２は、反転部７を通常モードに復帰させる（Ｓ１２）。具体的には、制御部１２は、電源部１３を制御して、反転部７へと供給される電力を２４Ｖに設定する。この結果、反転部７の上下移動モータ４０、クランプ用モータ５０及び吸引ファン４３、５３に２４Ｖの電力が供給される。
【００７８】
次に、制御部１２は、反転部７の通常モードへの復帰が成功したか否かを判定する（Ｓ１３）。制御部１２は、反転部７の通常モードへの復帰が失敗したと判定すると（Ｓ１３：Ｎｏ）、操作パネル１１にエラー表示をする（Ｓ１４）。一方、制御部１２は、反転部７の通常モードへの復帰が成功したと判定すると（Ｓ１３：Ｙｅｓ）、反転部７及び操作パネル１１を除く製版印刷部１５を通常モードへと復帰させる（Ｓ１５）。具体的には、制御部１２は、電源部１３を制御して、製版印刷部１５へ供給する電力を２４Ｖに設定する。この結果、製版印刷部１５のメインモータ２８、プレスアクチュエータ２４、６４等に２４Ｖの電力が供給される。
【００７９】
次に、制御部１２は、製版印刷部１５の通常モードへの復帰が成功したか否かを判定する（Ｓ１６）。制御部１２は、製版印刷部１５の通常モードへの復帰が失敗したと判定すると（Ｓ１６：Ｎｏ）、操作パネル１１にエラー表示をする（Ｓ１７）。一方、制御部１２は、製版印刷部１５の通常モードへの復帰が成功したと判定すると（Ｓ１６：Ｙｅｓ）、操作パネル１１を通常モードへと復帰させる（Ｓ１８）。具体的には、制御部１２は、電源部１３を制御して、操作パネル１１へ供給する電力を２４Ｖに設定する。この結果、操作パネル１１の液晶表示装置、タッチパネル及び操作パネル制御部７７に２４Ｖの電力が供給される。
【００８０】
これにより、ローパワーモードから通常モードへの復帰制御が終了する。
【００８１】
（スリープモードへの移行制御）
次に、図７を参照して、スリープモードへの移行制御について説明する。
【００８２】
図７に示すように、制御部１２は、タイマ１４から入力された待機時間Ｔと、ＲＯＭ７３に記憶されている第２閾値時間Ｔｈ２とを比較する（Ｓ２１）。
【００８３】
制御部１２は、待機時間Ｔが第２閾値時間Ｔｈ２を超えていないと判定している間は（Ｓ２１：Ｎｏ）、ステップＳ２１を繰り返す。一方、制御部１２は、待機時間Ｔが第２閾値時間Ｔｈ２を超えたと判定すると（Ｓ２１：Ｙｅｓ）、ステップＳ２２を実行する。
【００８４】
制御部１２は、反転部７をスリープモードへと移行する（Ｓ２２）。具体的には、制御部１２は、電源部１３を制御して、反転部用制御部７６を除く反転部７への電力供給を停止する。この結果、反転部７の上下移動モータ４０、クランプ用モータ５０及び吸引ファン４３、５３への電力供給が停止する。
【００８５】
次に、制御部１２は、反転部７のスリープモードへの移行が成功したか否かを判定する（Ｓ２３）。制御部１２は、反転部７のスリープモードへの移行が失敗したと判定すると（Ｓ２３：Ｎｏ）、操作パネル１１にエラー表示をする（Ｓ２４）。一方、制御部１２は、反転部７のスリープモードへの移行が成功したと判定すると（Ｓ２３：Ｙｅｓ）、反転部７及び操作パネル１１を除く製版印刷部１５をスリープモードへと移行する（Ｓ２５）。具体的には、制御部１２は、電源部１３を制御して、製版印刷部１５へ供給する電力を停止する。この結果、製版印刷部１５のメインモータ２８、プレスアクチュエータ２４、６４等への電力供給が停止する。
【００８６】
次に、制御部１２は、製版印刷部１５のスリープモードへの移行が成功したか否かを判定する（Ｓ２６）。制御部１２は、製版印刷部１５のスリープモードへの移行が失敗したと判定すると（Ｓ２６：Ｎｏ）、操作パネル１１にエラー表示をする（Ｓ２７）。一方、制御部１２は、製版印刷部１５のスリープモードへの移行が成功したと判定すると（Ｓ２６：Ｙｅｓ）、操作パネル１１をスリープモードへと移行する（Ｓ２８）。具体的には、制御部１２は、電源部１３を制御して、操作パネル制御部７７を除く操作パネル１１への電力供給を停止する。この結果、操作パネル１１の液晶表示装置、タッチパネルへの電力供給が停止する。
【００８７】
これにより、スリープモードへの移行制御が終了する。
【００８８】
（スリープモードからの復帰制御）
次に、図６を参照して、上述したスリープモードから通常モードへの復帰制御について説明する。
【００８９】
図６に示すように、制御部１２は、５Ｖの電力が供給されている操作パネル１１の操作パネル制御部７７を介して、ユーザがスリープモード復帰指示を入力したか否かを判定する（Ｓ３１）。
【００９０】
制御部１２は、スリープモード復帰指示が入力されるまでは（Ｓ３１：Ｎｏ）、ステップＳ３１を繰り返す。一方、制御部１２は、スリープモード復帰指示が入力されたと判定すると（Ｓ３１：Ｙｅｓ）、ステップＳ３２を実行する。
【００９１】
制御部１２は、反転部７を通常モードに復帰させる（Ｓ３２）。具体的には、制御部１２は、電源部１３を制御して、反転部７へと供給される電力を２４Ｖに設定する。この結果、反転部７の上下移動モータ４０、クランプ用モータ５０及び吸引ファン４３、５３に２４Ｖの電力が供給される。
【００９２】
次に、制御部１２は、反転部７の通常モードへの復帰が成功したか否かを判定する（Ｓ３３）。制御部１２は、反転部７の通常モードへの復帰が失敗したと判定すると（Ｓ３３：Ｎｏ）、操作パネル１１にエラー表示をする（Ｓ３４）。一方、制御部１２は、反転部７の通常モードへの復帰が成功したと判定すると（Ｓ３３：Ｙｅｓ）、反転部７及び操作パネル１１を除く製版印刷部１５を通常モードへと復帰させる（Ｓ３５）。具体的には、制御部１２は、電源部１３を制御して、製版印刷部１５へ供給する電力を２４Ｖに設定する。この結果、製版印刷部１５のメインモータ２８、プレスアクチュエータ２４、６４等に２４Ｖの電力が供給される。
【００９３】
次に、制御部１２は、製版印刷部１５の通常モードへの復帰が成功したか否かを判定する（Ｓ３６）。制御部１２は、製版印刷部１５の通常モードへの復帰が失敗したと判定すると（Ｓ３６：Ｎｏ）、操作パネル１１にエラー表示をする（Ｓ３７）。一方、制御部１２は、製版印刷部１５の通常モードへの復帰が成功したと判定すると（Ｓ３６：Ｙｅｓ）、操作パネル１１を通常モードへと復帰させる（Ｓ３８）。具体的には、制御部１２は、電源部１３を制御して、操作パネル１１へ供給する電力を２４Ｖに設定する。この結果、操作パネル１１の液晶表示装置、タッチパネル及び操作パネル制御部７７に２４Ｖの電力が供給される。
【００９４】
これにより、スリープモードから通常モードへの復帰制御が終了する。
【００９５】
（引き出し制御）
次に、図９を参照して、反転部７及び製版印刷部１５が引き出されたときに実行される引き出し制御について説明する。尚、引き出し制御は、ローパワーモードまたはスリープモードの際に実行されるものである。
【００９６】
図９に示すように、制御部１２は、反転部７及び製版印刷部１５が引き出さしボタンが操作されたか否かを判定する（Ｓ４１）。
【００９７】
制御部１２は、引き出しボタンの操作が検出されるまでは（Ｓ４１：Ｎｏ）、ステップＳ４１を繰り返す。一方、制御部１２は、引き出しボタンの操作されたと判定すると（Ｓ４１：Ｙｅｓ）、ステップＳ４２を実行する。
【００９８】
次に、制御部１２は、反転部７を通常モードに復帰させる（Ｓ４２）。この際、制御部１２は、上下移動モータ４０を制御して、反転部７を図１に一点鎖線で示す引き出し位置へと移動させる。次に、制御部１２は、反転部７の通常モードへの復帰が成功したか否かを判定する（Ｓ４３）。制御部１２は、反転部７の通常モードへの復帰が失敗したと判定すると（Ｓ４３：Ｎｏ）、操作パネル１１にエラー表示をする（Ｓ４４）。一方、制御部１２は、反転部７の通常モードへの復帰が成功したと判定すると（Ｓ４３：Ｙｅｓ）、製版印刷部１５を通常モードへと復帰させる（Ｓ４５）。
【００９９】
次に、制御部１２は、製版印刷部１５の通常モードへの復帰が成功したか否かを判定する（Ｓ４６）。制御部１２は、製版印刷部１５の通常モードへの復帰が失敗したと判定すると（Ｓ４６：Ｎｏ）、操作パネル１１にエラー表示をする（Ｓ４７）。一方、制御部１２は、製版印刷部１５の通常モードへの復帰が成功したと判定すると（Ｓ４６：Ｙｅｓ）、操作パネル１１を通常モードへと復帰させる（Ｓ４８）。
【０１００】
これにより、引き出し制御が終了する。
【０１０１】
（片面印刷モード制御）
次に、図１０を参照して、片面印刷モード制御について説明する。
【０１０２】
図１０に示すように、制御部１２は、操作パネル１１の操作パネル制御部７７を介して、ユーザが片面印刷指示を入力したか否かを判定する（Ｓ５１）。
【０１０３】
制御部１２は、片面印刷指示が入力されるまでは（Ｓ５１：Ｎｏ）、ステップＳ５１を繰り返す。一方、制御部１２は、片面印刷指示が入力されたと判定すると（Ｓ５１：Ｙｅｓ）、ステップＳ５２を実行する。
【０１０４】
制御部１２は、反転部７をローパワーモードへと移行する（Ｓ５２）。次に、制御部１２は、反転部７のローパワーモードへの移行が成功したか否かを判定する（Ｓ５３）。制御部１２は、反転部７のローパワーモードへの移行が失敗したと判定すると（Ｓ５３：Ｎｏ）、操作パネル１１にエラー表示をする（Ｓ５４）。一方、制御部１２は、反転部７のローパワーモードへの移行が成功したと判定すると（Ｓ５３：Ｙｅｓ）、上述した片面印刷を実行する（Ｓ５５）。
【０１０５】
これにより、片面印刷モードの制御が終了する。
【０１０６】
（効果）
次に、上述した第１実施形態による両面孔版印刷装置１の効果について説明する。
【０１０７】
上述したように、第１実施形態による両面孔版印刷装置１では、制御部１２が、待機時間Ｔと閾値時間Ｔｈ１、Ｔｈ２との比較に基づいて、通常モードと、ローパワーモードと、スリープモードとを制御する。これにより、待機時間Ｔが長くなると、反転部７、操作パネル１１及び製版印刷部１５への電力供給が低減されるので、両面孔版印刷装置１は、省電力化を実現できる。
【０１０８】
また、両面孔版印刷装置１では、ローパワーモードにおいて、制御部１２が、低電圧の電力を反転部７及び製版印刷部１５に供給する。これにより、両面孔版印刷装置１は、ローパワーモードから通常モードへの復帰速度を速めることができる。更に、電力の供給を停止した場合、モータ２８、５０、４０やファン４３、５３等の電気部品は、再駆動の際に故障を生じやすい。しかし、本実施形態のローパワーモードのように低電圧の電力を供給することにより、両面孔版印刷装置１は、モータ２８、５０、４０やファン４３、５３等の故障を低減できる。これにより、両面孔版印刷装置１は、省電力化と故障の低減との両立を実現することができる。
【０１０９】
また、両面孔版印刷装置１では、スリープモードにおいても、制御部１２が、反転部用制御部７６に低電圧の電力を供給する。このように、反転部用制御部７６に電力を供給することにより、両面孔版印刷装置１は、スリープモードから通常モードへの復帰の際の故障をより低減できる。
【０１１０】
また、両面孔版印刷装置１では、片面印刷の場合に、制御部１２が、反転部７をローパワーモードに制御する。これにより、両面孔版印刷装置１は、片面印刷時の省電力化を実現できる。
【０１１１】
また、両面孔版印刷装置１では、反転部７及び製版印刷部１５が引き出されると、制御部１２は、反転部７、操作パネル１１及び製版印刷部１５を通常モードに制御する。これにより、反転部７及び製版印刷部１５が収納されると、両面孔版印刷装置１は、迅速に印刷を開始することができる。
【０１１２】
また、両面孔版印刷装置１では、両面印刷に必要な反転部７がクランプ用モータ５０及び吸引ファン４３、５３等の消費電力の大きい複数の駆動部品を有する。しかし、両面孔版印刷装置１では、待機時間Ｔが長い場合や片面印刷時には、制御部１２が、クランプ用モータ５０及び吸引ファン４３、５３等へ低電圧の電力を供給する。これにより、両面孔版印刷装置１は、両面印刷を可能にしつつ、且つ、省電力化を実現できる。
【０１１３】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【０１１４】
例えば、上述した実施形態の各構成の形状、配置、数値等は適宜変更可能である。
【０１１５】
また、上述した実施形態では、本発明を孔版印刷装置に適用したが、他の反転部を備える両面印刷装置に適用してもよい。
【符号の説明】
【０１１６】
１     両面孔版印刷装置
２     製版部
４     第１印刷部
５     上流側搬送部
６     中間搬送部
７     反転部
８     下流側搬送部
９     第２印刷部
１１   操作パネル
１２   制御部
１３   電源部
１４   タイマ
１９   製版印刷部
２１、６１    ドラム
２２、６２    プレスロール
２４、６４    プレスアクチュエータ
２８   メインモータ
３６   搬入装置
３７   クランプ装置
３９   排出装置
４０   上下移動モータ
４３   吸引ファン
４６   クランプ搬送ベルト
４７   クランプ爪
５０   クランプ用モータ
５３   吸引ファン
５８   用紙検出センサ
７６   反転部用制御部
７７   操作パネル制御部
ＰＡ   印刷用紙
Ｒ     搬送経路
Ｔ     待機時間
Ｔｈ１ 閾値時間
Ｔｈ２ 閾値時間
【図１】
2011073396.tif 000003
【図２】
2011073396.tif 000004
【図３】
2011073396.tif 000005
【図４】
2011073396.tif 000006
【図５】
2011073396.tif 000007
【図６】
2011073396.tif 000008
【図７】
2011073396.tif 000009
【図８】
2011073396.tif 000010
【図９】
2011073396.tif 000011
【図１０】
2011073396.tif 000012